(57)【要約】【課題】蓋体における電子基板を収容する収容室内において乾燥剤による吸湿を好適に行うことができる炊飯器が要望されている。【解決手段】本発明の炊飯器は、本体と、本体に開閉可能に取り付けられた蓋体１０と、が備えられ、蓋体１０の操作パネル１２に、操作スイッチ１６が備えられ、蓋体１０の内部の収容室１８に、電子基板２０と、電子基板２０の上方に位置して操作スイッチ１６を支持するスイッチスペーサ２２と、が備えられ、スイッチスペーサ２２に、乾燥剤３０を保持する保持部２３が設けられ、保持部２３が、スイッチスペーサ２２を貫通するように設けられている。【選択図】図３
2019205551.tif 000002
【特許請求の範囲】
【請求項１】
本体と、
前記本体に開閉可能に取り付けられた蓋体と、が備えられ、
前記蓋体の操作パネルに、操作スイッチが備えられ、
前記蓋体の内部の収容室に、電子基板と、前記電子基板の上方に位置して前記操作スイッチを支持するスイッチスペーサと、が備えられ、
前記スイッチスペーサに、乾燥剤を保持する保持部が設けられ、
前記保持部が、前記スイッチスペーサを貫通するように設けられている炊飯器。
【請求項２】
前記保持部に、前記保持部を構成する縦壁との間に隙間空間を設けた状態で前記乾燥剤を位置決めする位置決めリブが設けられている請求項１に記載の炊飯器。
【請求項３】
前記位置決めリブに近接配置されて前記乾燥剤を下方から支持する棚部が設けられている請求項２に記載の炊飯器。
【請求項４】
前記操作パネルに、前記収容室の一部をなす透明窓部が備えられ、
前記収容室に、前記透明窓部の直下に位置する表示デバイスが備えられている請求項１〜３のいずれか一項に記載の炊飯器。
【発明の詳細な説明】
【技術分野】
【０００１】
本発明は、本体と、本体に開閉可能に取り付けられた蓋体と、が備えられている炊飯器に関する。
【背景技術】
【０００２】
従来の技術が、例えば、下記特許文献１に記載されている。同文献に記載の炊飯器では、蓋体の操作パネル（同文献では「操作パネル部」）に、操作スイッチ（同文献では「スイッチ」）が備えられ、蓋体の内部の収容室（同文献では「パネル収容部」）に、電子基板（同文献では「操作基板」）と、乾燥剤を配置する乾燥剤配置部と、が備えられている。
【０００３】
乾燥剤は、収容室の湿気を吸収することで湿気から電子基板等を保護するべく設けられている。
【先行技術文献】
【特許文献】
【０００４】
【特許文献１】特許第６１２９７８２号公報
【発明の概要】
【発明が解決しようとする課題】
【０００５】
しかし、上記従来の技術では、乾燥剤が炊飯中の被炊飯物の熱や保温中の蓋ヒータの熱の影響を受けやすい箇所に配置されているため、乾燥剤が熱で劣化し易く、乾燥剤の吸湿性能の低下が生じ易くなっている。さらに、乾燥剤の下面側が遮蔽されているため、乾燥剤の下方で空気の滞留が生じ、乾燥剤の下面部において十分な吸湿が行われないおそれがあった。
【０００６】
上記実情に鑑み、本発明は、蓋体における電子基板を収容する収容室内において乾燥剤による吸湿を好適に行うことができる炊飯器が要望されていた。
【課題を解決するための手段】
【０００７】
本発明の炊飯器は、
本体と、
前記本体に開閉可能に取り付けられた蓋体と、が備えられ、
前記蓋体の操作パネルに、操作スイッチが備えられ、
前記蓋体の内部の収容室に、電子基板と、前記電子基板の上方に位置して前記操作スイッチを支持するスイッチスペーサと、が備えられ、
前記スイッチスペーサに、乾燥剤を保持する保持部が設けられ、
前記保持部が、前記スイッチスペーサを貫通するように設けられているものである。
【０００８】
本発明であると、炊飯中の被炊飯物の熱や保温中の蓋ヒータの熱等が生じる熱源と乾燥剤との間に電子基板が介在していることで、乾燥剤が熱の影響を受け難くなる。このため、熱による乾燥剤の劣化が生じ難く、乾燥剤の吸湿性能の低下が生じることを効果的に抑制できる。しかも、操作スイッチを支持するスイッチスペーサを活用して、そのスイッチスペーサを貫通する保持部に乾燥剤を保持させることで、乾燥剤の上面側と下面側をいずれも開放させてあるので、乾燥剤の上面部と下面部とにおいて十分な吸湿性能を発揮させることができる。
【０００９】
したがって、本発明であれば、蓋体における電子基板を収容する収容室内において乾燥剤による吸湿を好適に行うことができる炊飯器を構成可能となる。
【００１０】
上記構成において、
前記保持部に、前記保持部を構成する縦壁との間に隙間空間を設けた状態で前記乾燥剤を位置決めする位置決めリブが設けられていると好適である。
【００１１】
本構成によれば、乾燥剤の側面が開放されることで、乾燥剤の側面部において吸湿を好適に行うことができる。つまり、乾燥剤が空気に触れる表面積を大きく確保することにより、乾燥剤が本来持つ吸湿性能を十分に引き出すことができる。
【００１２】
上記構成において、
前記位置決めリブに近接配置されて前記乾燥剤を下方から支持する棚部が設けられていると好適である。
【００１３】
本構成によれば、乾燥剤の下面の最低限の箇所を棚部で支持し、棚部が設けられている箇所以外を開放してあるので、乾燥剤の下面が塞がれる面積を最小限に抑えることができる。
【００１４】
上記構成において、
前記操作パネルに、前記収容室の一部をなす透明窓部が備えられ、
前記収容室に、前記透明窓部の直下に位置する表示デバイスが備えられていると好適である。
【００１５】
本構成によれば、乾燥剤で吸湿が好適に行われる空間に表示デバイスを備えてあることで、表示デバイスに湿気による不具合が生じ難くなる。さらに、乾燥剤によって透明窓部の内側で吸湿が十分に行われるので、透明窓部の内面が結露で曇り難くなり、透明窓部を通じて表示デバイスに表示される情報が見難くなる状態が生じ難くなる。なお、ここでいう「透明」には、半透明も当然ながら含まれる。
【図面の簡単な説明】
【００１６】
【図１】炊飯器を示す斜視図である。
【図２】蓋体の分解斜視図である。
【図３】図１のＡ−Ａ断面であり、蓋体の内部を模式的に示す側面視の断面図である。
【図４】特定の保持部の周辺を模式的に示す上面図である。
【図５】保持部の構造を示す斜視図である。
【図６】乾燥剤を設置した状態の保持部を示す上面図である。
【図７】他の実施形態の保持部を模式的に示す上面図である。
【図８】他の実施形態の保持部を模式的に示す側面視の断面図である。
【発明を実施するための形態】
【００１７】
以下、本発明の一例である実施形態を、図面を参照しながら説明する。
図１に示すように、炊飯器には、図示しない内鍋を備える本体９と、本体９に開閉可能に取り付けられた蓋体１０と、が備えられている。
【００１８】
図１〜図３に示すように、蓋体１０の上面部には、各種情報の表示や入力操作が可能な操作パネル１２が備えられている。操作パネル１２には、透明窓部１４や各種操作入力を行うことが可能な複数の操作スイッチ１６等が備えられている。透明窓部１４は、収容室１８の上面の一部をなしている。
【００１９】
図２、図３に示す収容室１８は、蓋ヒータを備える内蓋（図示せず）の上方に位置している。蓋体１０の内部には、密閉状の収容室１８が備えられている。収容室１８の周縁１８ａはパッキン等でシールドされ操作パネル１２との間で略気密状態に維持されている。
【００２０】
蓋体１０の内部の収容室１８には、マイコン等が搭載される電子基板２０、電子基板２０の上方に位置して操作スイッチ１６を支持するスイッチスペーサ２２、液晶パネルなどの情報を表示可能な表示デバイス１３等が備えられている。表示デバイス１３は、透明窓部１４の直下に位置している。
【００２１】
図３に示すように、電子基板２０は、収容室１８の底面１８ｂに設けられた支持ロッド１８ｒで固定されている。つまり、電子基板２０は、収容室１８の底面１８ｂから浮いた状態で固定されている。電子基板２０には、操作パネル１２で指示されたコマンドを実行させ、また、炊飯器の状態や時間を、透明窓部１４を通じて表示させるといった制御を行う制御装置（図示せず）や、操作スイッチ１６からの押圧を受けるプッシュスイッチ２０ｓなどが搭載されている。
【００２２】
図２、図３等に示すスイッチスペーサ２２は、操作パネル１２と電子基板２０との間に介装されるスペーサである。スイッチスペーサ２２の直上には、操作パネル１２が配置されている。スイッチスペーサ２２のスイッチカバー２２ｓの直上には、操作スイッチ１６が配置されている。
【００２３】
スイッチスペーサ２２は、電子基板２０を覆うカバーとしても機能する。スイッチスペーサ２２の表面２２ａは、電子基板２０の上方に位置するように固定されている。スイッチスペーサ２２の表面２２ａには、電子基板２０上に配置されたプッシュスイッチ２０ｓの先端が当接しているスイッチカバー２２ｓが設けられている。
【００２４】
図３、図４に示すように、スイッチカバー２２ｓは、スイッチスペーサ２２の表面２２ａに片持ち状に支持されている。したがって、操作スイッチ１６の操作によってスイッチカバー２２ｓが押下されると、電子基板２０上のプッシュスイッチ２０ｓも連動して押下される。また、スイッチスペーサ２２には、表示デバイス１３が固定されていてもよい。
【００２５】
図２〜図６に示すように、スイッチスペーサ２２には、乾燥剤３０を保持する複数の保持部２３が設けられている。各保持部２３は、それぞれ、スイッチスペーサ２２を貫通するように設けられている。各保持部２３には、乾燥剤３０を位置決めする複数の位置決めリブ２５、乾燥剤３０を下方から支持する複数の棚部２４が設けられている。
【００２６】
図３に示すように、保持部２３の下端部は、電子基板２０に対して高さ方向に離間している。図３〜図６に示すように、保持部２３は、複数（例えば４つ）の縦壁２２ｈｐを組み合わせて貫通孔２２ｈを形成している。つまり、貫通孔２２ｈは、複数の縦壁２２ｈｐで覆われた筒状をしている。言い換えると、貫通孔２２ｈの各辺の縁２２ｈａから下方に向かって縦壁２２ｈｐが延設されている。本実施形態では、貫通孔２２ｈは、上面視で断面正方形状（断面矩形状）の矩形立体状の形状となっている。
【００２７】
図６に示すように、貫通孔２２ｈは、乾燥剤３０よりも大きく形成されている。貫通孔２２ｈは、乾燥剤３０よりも断面積が大きな略正方形状となっている。図３、図５等に示すように、貫通孔２２ｈの上面は開口されている。貫通孔２２ｈの下面は開口されている。貫通孔２２ｈは、上方から下方に向かうにつれて断面積が大きくなる形状となっている。貫通孔２２ｈの深さ２２ｈｄは、乾燥剤３０を収容可能な深さであればよい。
【００２８】
図６に示すように、乾燥剤３０は、上面視で断面正方形状（断面矩形状）の矩形立体状の形状となっている。図３、図６に示すように、乾燥剤３０は、保持部２３に上方から嵌め込んで保持されるようになっている。
【００２９】
図４〜図６に示すように、各位置決めリブ２５は、縦壁２２ｈｐの隅部から貫通孔２２ｈの内方に向けて突設されている。各位置決めリブ２５は、対応する縦壁２２ｈｐの辺の一方側に偏倚した箇所に設けられている。図６に示すように、各位置決めリブ２５は、保持部２３を構成する縦壁２２ｈｐとの間に隙間空間Ｓを設けた状態で乾燥剤３０を位置決めするようになっている。位置決めリブ２５は、上方から下方に向かうにつれて断面積が大きくなる形状となっている。乾燥剤３０は、縦壁２２ｈｐから突設された各位置決めリブ２５によって、縦壁２２ｈｐとの間に隙間空間Ｓを設けた状態で保持される。
【００３０】
図５等に示すように、棚部２４は、位置決めリブ２５に近接した箇所に形成され、乾燥剤３０を下方から支持するようになっている。棚部２４は、対応する位置決めリブ２５と一体的に形成されている。図３、図６等に示すように、乾燥剤３０は、保持部２３の縦壁２２ｈｐの下隅に設けられた平面部を有する棚部２４に支持されるようになっている。
【００３１】
図６に示すように、乾燥剤３０は、上面視で、保持部２３において、各辺が縦壁２２ｈｐの対応する辺と角度をなすように、傾斜した姿勢で保持される。乾燥剤３０の各下隅部は、対応する棚部２４に下方から支持される。
【００３２】
図３に示すように、乾燥剤３０は、電子基板２０を介して収容室１８の底面１８ｂから高さ方向に離して配置されている。収容室１８の底面１８ｂは、裏面が炊飯器の内蓋に対向する位置にあり、炊飯中や保温中に熱Ｈを受けて温度が高くなりやすい。しかし、電子基板２０が収容室１８の底面１８ｂから高さ方向に離れているため、電子基板２０の温度上昇をある程度抑えることが可能であり、電子基板２０が吸湿した水分が熱Ｈにより放出されることを抑制できる。また、電子基板２０と乾燥剤３０との間も高さ方向に離れているので、乾燥剤３０に熱Ｈの影響が及び難くなり、乾燥剤３０温度上昇が抑制され、炊飯中の被炊飯物や保温中の蓋ヒータから等の熱Ｈによる劣化で吸湿性能が低下することを防止できる。
【００３３】
図３、図６に示すように、乾燥剤３０は、保持部２３の縦壁２２ｈｐの下隅に設けられた棚部２４に支持される。さらに、乾燥剤３０の側面は全て収容室１８内の空気に曝されている状態にある。また、貫通孔２２ｈは上方も下方も開口している。つまり、乾燥剤３０の６面全てが、収容室１８内の空気に曝されている。このため、乾燥剤３０の吸湿性能は抑制されず、乾燥剤３０が本来持つ吸湿性能を最大限に発揮させることができる。
【００３４】
このように、乾燥剤３０の吸湿性能の低下が生じ難く、かつ、乾燥剤３０のもつ本来の吸湿性能を最大限に発揮できる構造であるため、収容室１８の除湿が好適に行われる。これにより、収容室１８に収容される電子基板２０や表示デバイス１３等の電子機器が湿気に曝され難くなり、収容室１８の一部である透明窓部１４の内面の結露により表示デバイス１３に表示される情報が外部から読み取り難くなる状況が発生し難くなる。
【００３５】
以下、上記実施形態に変更を施した他の実施形態を例示する。各実施形態は、矛盾が生じない限り適宜組み合わせることができる。なお、本発明の範囲は、各実施形態に示した内容に限られるものではない。
【００３６】
（１）上記実施形態では、位置決めリブ２５が、矩形断面の貫通孔２２ｈを形成する縦壁２２ｈｐの辺の一方側に偏倚した箇所に設けられているものを例示しているが、これに限られない。例えば、図７に示すように、位置決めリブ２５が、矩形断面の貫通孔２２ｈを形成する縦壁２２ｈｐの辺の中央側に設けられていてもよい。
【００３７】
（２）上記実施形態では、保持部２３の貫通孔２２ｈの大きさよりも乾燥剤３０の大きさが大きなものを例示したが、これに限られない。例えば、図８に示すように、上部の断面が貫通孔２２ｈの断面よりも大きな乾燥剤３０を保持部２３の貫通孔２２ｈに挿嵌するようにしてもよい。この場合でも、乾燥剤３０を６面とも空気に曝すことが可能になり、乾燥剤３０の吸湿性能を有効活用できる。
【００３８】
（３）上記実施形態では、位置決めリブ２５と棚部２４が近接配置されているものを例示しているが、これに限られない。例えば、位置決めリブ２５と棚部２４が離間して配置されていてもよい。
【００３９】
（４）上記実施形態では、乾燥剤３０の側面と保持部２３を構成する縦壁２２ｈｐとの間に位置決めリブ２５により隙間空間Ｓが設けられているものを例示しているが、これに限られない。例えば、位置決めリブ２５が設けられておらず、乾燥剤３０の側面と縦壁２２ｈｐとの間が略密着していてもよい。
【００４０】
（５）上記実施形態では、保持部２３に乾燥剤３０を下方から支持する棚部２４が備えられているものを例示しているが、これに限られない。例えば、棚部２４に代えて、保持部２３に乾燥剤３０の側面を引っ掛け支持するような係止部が備えられていてもよい。
【００４１】
（６）上記実施形態では、蓋体１０の操作パネル１２に透明窓部１４が設けられているものを例示しているが、これに限られない。例えば、蓋体１０の操作パネル１２に透明窓部１４が設けられていなくてもよい。
【００４２】
（７）上記実施形態では、乾燥剤３０が立方体（矩形立体）であるものを例示しているが、これに限られない。乾燥剤３０の形状は種々考えられる。例えば、乾燥剤３０は、円盤形状であったり、断面三角形状であったり、断面多角形状のものであってもよい。この場合、貫通孔２２ｈの形状を、乾燥剤３０の形状と同じにしてもよい。また、位置決めリブ２５や棚部２４の形状、配置態様、数は、乾燥剤３０の形状や大きさに応じて適切に設定できる。
【産業上の利用可能性】
【００４３】
本発明に係る炊飯器は、蓋体の上面に操作パネルが配置されるタイプの炊飯器に好適に利用できる。
【符号の説明】
【００４４】
９        ：本体
１０      ：蓋体
１２      ：操作パネル
１３      ：表示デバイス
１４      ：透明窓部
１６      ：操作スイッチ
１８      ：収容室
２０      ：電子基板
２２      ：スイッチスペーサ
２２ｈｐ  ：縦壁
２３      ：保持部
２４      ：棚部
２５      ：位置決めリブ
３０      ：乾燥剤
Ｓ        ：隙間空間
【図１】
2019205551.tif 000003
【図２】
2019205551.tif 000004
【図３】
2019205551.tif 000005
【図４】
2019205551.tif 000006
【図５】
2019205551.tif 000007
【図６】
2019205551.tif 000008
【図７】
2019205551.tif 000009
【図８】
2019205551.tif 000010